(57)【要約】      （修正有）【課題】シンプルで故障しないスイッチを有するヘアドライヤーを得る。【解決手段】ファンとヒーターを有するヘアドライヤーに関する。ヘアドライヤーはプログラム可能な集積回路部（ＩＣ）が実装されたＰＣＢボードを有し、また前記ファンとヒーターは前記ＰＣＢボードに接続される。複数のプリセットスイッチは、それぞれ単独で、又は任意の組み合わせでファンやヒーターの作動レベルを定める。ＰＣＢボードに接続された一つのマルチモードスイッチは、複数のプリセットスイッチを制御する。ユーザは、ヘアドライヤーを握っている手のみで、マルチモードスイッチを介して複数のプリセットスイッチを制御し、前記ヘアドライヤーを操作することができる。【選択図】図１
2010155061.tif 000002
【特許請求の範囲】
【請求項１】
ファンとヒーターを有するヘアドライヤーであって、
プログラム可能な集積回路（ＩＣ）が実装され、前記ファンと前記ヒーターが接続されたＰＣＢボードと、
それぞれ単独で、又は任意の組み合わせで前記ファンと前記ヒーターの作動レベルを規定する複数のプリセットスイッチと、
前記ＰＣＢボードに接続され、複数のプリセットスイッチを制御するマルチモードスイッチと、を有し、
前記マルチモードスイッチは、前記ヘアドライヤーにおいて片手で操作できる位置に置かれ、ユーザは、ヘアドライヤーを握っている手のみで、前記マルチモードスイッチを介して前記複数のプリセットスイッチを制御し、ヘアドライヤーを操作することができるヘアドライヤー。
【請求項２】
前記マルチモードスイッチは、回転ダイヤルである，
請求項１記載のヘアドライヤー。
【請求項３】
前記マルチモードスイッチは，トグルスイッチである，
請求項１記載のヘアドライヤー。
【請求項４】
前記トグルスイッチは、上下方向に切り替え可能である，
請求項３記載のヘアドライヤー。
【請求項５】
前記トグルスイッチは、上下方向に切り替え可能である，
請求項３記載のヘアドライヤー。
【請求項６】
前記トグルスイッチは、少なくとも上下左右に切り替えることができる多方向性トグルスイッチであって、，
請求項３記載のヘアドライヤー。
【請求項７】
前記マルチモードスイッチはプッシュボタンである，
請求項１記載のヘアドライヤー。
【請求項８】
前記ボタンは、第一のボタンと第二のボタンを有するボタンであるか、又は前記ボタン部は一つのボタンである，
請求項１記載のヘアドライヤー。
【請求項９】
前記マルチモードスイッチは請求項１〜８記載のマルチモードスイッチの任意の組み合わせである，
請求項１〜８のいずれか１項に記載のヘアドライヤー。
【請求項１０】
前記マルチモードスイッチは、前記ヘアドライヤーのハンドルの上部に配置されている，
請求項１〜７のいずれか１項に記載のヘアドライヤー。
【請求項１１】
前記ヘアドライヤーは、さらに前記ＰＣＢボードに接続された遠赤外線エミッタを有し、前記遠赤外線エミッタの動作状態は前記プリセットスイッチのうちの一つで定められる，
請求項１記載のヘアドライヤー。
【請求項１２】
前記ヘアドライヤーは、さらに前記ＰＣＢボードに接続されたイオン発生器を有し、前記イオン発生器の動作状態は前記プリセットスイッチのうちの一つで定められる，
請求項１記載のヘアドライヤー。
【請求項１３】
前記ＰＣＢは、さらにスイッチング電源ユニットを有する，
請求項１記載のヘアドライヤー。
【請求項１４】
前記ＰＣＢは、自動切断回路を含む，
請求項１記載のヘアドライヤー。
【発明の詳細な説明】
【技術分野】
【０００１】
本発明は，電気製品に関する。特に、本発明は電気加熱式のヘアドライヤーに関する。
【背景技術】
【０００２】
電気加熱式のヘアドライヤーは魅力的な機能を提供しながら様々な形状のものが市販されている。バリエーションに関係なく、市販されている電気加熱式のヘアドライヤーは、通常の操作のための二以上の別個のボタン又はスイッチ、又はボタンとスイッチの組み合わせから構成されている。
【０００３】
典型的には、モータ駆動による電動ファン部を制御するために少なくとも一つのボタン又はスイッチが採用され、一方、加熱部は、別個のボタンやスイッチで制御される。これらのボタン又はスイッチは、それぞれ、さらにファンや加熱を様々なレベルで制御するために提供される。ユーザーフレンドリーのために、これらのボタンやスイッチは、通常、ヘアドライヤーを握る手の指が容易に届くようにハンドルに設置される。ハンドルのサイズが制限されるために、ファンや加熱を様々な段階で制御するといっても限界がある。例えば、ファンと加熱双方を三段階調節できるボタン又はスイッチを備えたフル機能を備えたヘアドライヤーでは、レベル０は電動部にとって送風がないことをあらわし、レベル１は通常の送風、そしてレベル２は強い送風であることを示す。同様に、加熱部に関連づけられるボタン又はスイッチにとってのレベル０〜２は、それぞれ、加熱なし、通常の加熱、高温での加熱を示す。ヘアドライヤーは、機能や制御のためにより多くの別個のボタン又はスイッチを増やすことで特色とすることも可能である。
【０００４】
もちろん、小型化されたヘアドライヤーや、持ち運び可能なヘアドライヤー、旅行用のヘアドライヤーも市販されている。これらのヘアドライヤーは、簡素化するために、通常の温風、通常の送風、送風なしを切り替えるために一つのスイッチを採用している。加えて、このような旅行用ヘアドライヤーや一般的なもの、プロフェッショナル用のヘアドライヤーは、異なる電圧に切り替えるための機械スイッチを設けている。
【０００５】
高出力のヘアドライヤー（一般的には１５００Ｗ以上）、又はプロフェッショナル用のヘアドライヤーにおいては、一般的にデュアルボルテージの切り替えを採用することは現実的ではない。こうしたヘアドライヤーは一般的に市販される地域やマーケットの電圧レベルに合わせて製造される。
【発明の概要】
【発明が解決しようとする課題】
【０００６】
二以上の別個のボタン又はスイッチでヘアドライヤーを制御することはユーザにとってわかりにくい。限られたレベル制御ではエネルギー使用量の点からも無駄が多く、ユーザの満足度が多くの点で減少してしまう。
【０００７】
また、シンプルで故障しないヘアドライヤーに対するニーズもある。
【課題を解決するための手段】
【０００８】
本発明の第１の側面によれば、ファンとヒーターを有するヘアドライヤーが提供される。ヘアドライヤーは、プログラム可能な集積回路（ＩＣ）が実装され、ファンとヒーターが接続されているＰＣＢボードと、それぞれ単独で、又は任意の組み合わせでファンとヒーターの作動レベルを規定する複数のプリセットスイッチと、ＰＣＢボードに接続され、複数のプリセットスイッチを制御するマルチモードスイッチとを有し、マルチモードスイッチはヘアドライヤーにおいて片手で操作できる位置に置かれ、ユーザは、ヘアドライヤーを握っている手のみで、マルチモードスイッチを介して複数のプリセットスイッチを制御し、ヘアドライヤーを制御することができるヘアドライヤーである。
【０００９】
一つの実施態様においては、マルチモードスイッチは回転ダイヤルである。また、マルチモードスイッチはトグルスイッチで構成し得る。トグルスイッチは上下方向又は上下方向に切り替え可能でもよい。また、トグルスイッチは、少なくとも上下左右に切り替えることができる多方向性トグルスイッチでもよい。
【００１０】
また、マルチモードスイッチはプッシュボタンでもよい。さらに、ボタンは、第一のボタンと第二のボタンを有するか、一つのボタンであるように構成してもよい。また、マルチモードスイッチは、上述したマルチモードスイッチの任意の組み合わせでもなし得る。マルチモードスイッチは、ヘアドライヤーのハンドルの上部に配置されていてもよい。
【００１１】
他の実施態様においては、ヘアドライヤーはさらにＰＣＢボードに接続された遠赤外線エミッタとイオン発生器を有し、遠赤外線エミッタとイオン発生器の動作状態はプリセットスイッチのうちの一つで定められ得る。さらに、ＰＣＢは、スイッチング電源ユニットと自動切断回路を有しうる。
【図面の簡単な説明】
【００１２】
この発明は、添付図面を参照して、本発明の制限されない実施形態により記述される。
【００１３】
【図１】図１は、本発明の一実施形態に係るヘアドライヤーの略ブロック図である。
【００１４】
【図２】図２は、本発明の一実施形態に係るヘアドライヤーの略図である。
【００１５】
【図３】図３は、本発明の別のの実施形態に係るヘアドライヤーの略図である。
【００１６】
【図４】図４は、本発明の更なる実施形態に係るヘアドライヤーの略図である。
【００１７】
【図５】図５は、本発明の他の実施形態に係るヘアドライヤーの略図である。
【００１８】
【図６】図６は、本発明の更に他の実施形態に係るヘアドライヤーの略図である。
【００１９】
【図７】図７は、本発明の更なる実施形態に係るヘアドライヤーの略図である。
【００２０】
【図８】図８は、本発明の更に別の実施形態に係るヘアドライヤーの略図である。
【００２１】
【図９】図９は、本発明の更なる実施形態に係るヘアドライヤーの略図である
【００２２】
【図１０】図１０は、本発明の他の実施形態に係るヘアドライヤーの断面図である。
【００２３】
【図１１】図１１は、本発明の更なる実施形態に係るヘアドライヤーの断面図である。
【発明を実施するための形態】
【００２４】
上述した概要に従って、特定の及び代替の実施形態に関する以下の記述は本発明の発明の特徴を理解するために提供される。本発明は、当業者にとっては明白なことは、具体的な詳細な説明なしに実施されうる。いくつかの詳細な説明は、発明が不明瞭とならないように詳細に説明されない。参照を容易にするために、同じ又は類似の特徴を参照するとき、共通の参照番号が、各図面で使用される。
【００２５】
本発明の一実施形態によれば、電気加熱式のヘアドライヤーは、ヒーターと、ファンと、マルチモードボタン又はスイッチと、ヒーター、ファン及びマルチモードボタン又はスイッチと接続されたプリント基板（ＰＣＢ）とを有する。ＰＣＢは、マルチモードボタン又はスイッチを介したヒーター及びファンの同時制御を提供する。本発明の実施形態によれば、電動ドライヤーに対するシンプルな操作で、ユーザは作動温度と送風を片手で容易に同時制御できる。電気加熱式のヘアドライヤーの電力はビルトインされたプログラムで制御、調整されるため、エネルギー消費を減らすことができる。これらの利点は、よりユーザ満足度を向上させることができる。なお、ファンは、モータとファンの羽根を含み、モータは送風を発生させるためにファンの羽根を駆動する。当業者は、どのような手段が望ましい送風を発生させるか理解するであろうし、さらに、ファンの制御やそれに類するものは送風の制御と同じ手段であることも理解する。
【００２６】
さらに、本発明は、プロフェッショナル用のヘアドライヤーを含めた高出力ヘアドライヤーにも適用可能である。
【００２７】
図１は、本発明の一実施形態に係るヘアドライヤーの略ブロック図である。電気加熱式のヘアドライヤー１００は、マルチモードトリガ１０２、制御装置１０４，ヒーター１０６とファン装置１０８を有する。制御装置１０４は、通常１以上のＩＣ部品により構成される。ヒーター１０６は、熱を発生する。ヒーター１０６は、どのような電熱線であってもよく、電気エネルギーを熱に変換することができる。ファン装置１０８は、送風を発生する。ファン装置１０８は、送風を発生させるためのファンと電気モータを有する。ヒーター１０６とファン装置１０８はそれぞれ制御装置１０４に接続されている。制御装置１０４は、ファン装置１０８に対してはパワーレベルの、ヒーター１０６に対しては加熱レベルの制御を多くのレベルで、又はそれぞれのレベルを組み合わせて行う。制御装置１０４はさらにマルチモードトリガ１０２と接続されている。ユーザは、一つマルチモードトリガ１０２を介して電気加熱式のヘアドライヤー１００を十分に制御することができる。
【００２８】
さらに、図１を参照すると、電気加熱式のヘアドライヤー１００がマルチモードトリガ１０２で操作されるとき、マルチモードトリガ１０２は制御装置１０４を駆動するための信号を発生し、同時に適切な制御をヒーター１０６とファン装置１０８に行う。例えば、一旦、制御装置１０４がマルチモードトリガ１０２から信号を受信すると、制御装置１０４に備えられたビルトインされたプログラムに基づいて、ヒーター１０６とファン装置１０８を信号に応じた調整方法により制御する。
【００２９】
図２は、本発明の一実施形態に係る電気加熱式のヘアドライヤー２００の略図である。電気加熱式のヘアドライヤー２００は、制御装置１０４、ヒーター１０６と、ファン装置１０８を有する。電気加熱式のヘアドライヤー２００は、さらにハンドル２０１の内側表面に設置されたマルチモードトリガ２０２を有する。マルチモードトリガ２０２は、時計回り及び反時計回りに３６０度回転できる回転ダイヤルを含む。回転ダイヤルには、さらにポテンショメータが備えられており、ポテンショメータは、回転ダイヤルを第１の角度から第２の角度へ回すことにより信号を発生する。加熱レベルや送風のパワーの制御及び調整は、マルチモードトリガ１０２からの信号に応じて制御装置１０４のビルトインプログラムにより行われる。
【００３０】
電気加熱式のヘアドライヤー２００では、主な動作を制御する制御装置１０４は、マルチモードトリガ１０２からの信号を読み、ヒーター及びファンを制御するための応答を提供するよう設定された、ＩＣ部品にあるビルトインプログラムを有している。例えば、ヒーター１０４により生じる熱がレベルＡ、ファン装置１０８から生じる送風がレベルＢに調整されるように、制御装置１０４が受信した信号によって、電気加熱式のヘアドライヤー２００の制御装置１０４は、ヒーター１０４及びファン装置１０８を制御する。
【００３１】
図３は、本発明の別のの実施形態に係る電気加熱式のヘアドライヤー３００の略図である。電動ドライヤー３００は、一回転より限られた角度の範囲、本例では２７０度以内で回転可能なマルチモードトリガ３０２であることを除けば、実質的に図２の電動ドライヤー２００と同じデザインである。そのような構造により、ある極端な位置にダイヤルされる場合にオン／オフする、ＯＮ／ＯＦＦスイッチとしてマルチモードトリガ３０２を使うことができる。
【００３２】
図４及び５は、本発明の他の実施形態に係るマルチモードトリガを有する二つの電気加熱式のヘアドライヤー４００，５００を示している。図４では、マルチモードトリガは、上下方向に切り替え可能であるトグルスイッチ４０２であるのに対し、図５では、左右方向に切り替え可能であるトグルスイッチ５０２である。
【００３３】
図６は、本発明の更なる実施形態に係るマルチモードトリガを有する電気加熱式のヘアドライヤー６００を示している。マルチモードトリガ６０２は少なくとも上下左右（すなわち、４方向）に切り替えることができる多方向性トグルロッドを有する。多方向性トグルロッドはシングルロッドであり、ハンドルから突き出ている。デフォルトでは、シングルロッドはハンドルに対して直立する方向になるよう向けられている。（すなわち、どの方向にも傾いていない。）一つのロッドが押される又は切り替えられると、ポテンショメータに接続され、対応する信号を発生し、関連する制御のために信号が制御装置１０４に送られる。
【００３４】
図７は、本発明の更なる実施形態に係る電気加熱式のヘアドライヤー７００を示している。電気加熱式のヘアドライヤー７００は、上下方向のパッド７０２を有する。この上下方向のパッド７０２は、より操作がユーザーフレンドリーとなるようにソフトタッチのボタンまたはそれに類するものであってもよい。上下方向のパッドは上述したトグルと似た動作が設定されていてもよい。
【００３５】
図８は、本発明の更に別の実施形態に係るマルチモードトリガ８０２を示している。マルチモードトリガ８０２は、プッシュボタンである。
【００３６】
更なる実施形態において、マルチモードトリガは、一以上の前述したトリガを統合した一つのトリガであってもよい。
【００３７】
前述した実施形態におけるトリガは、中間レベルを与えることもあれば、与えない場合もある。中間レベルを与えるトリガは、より細かな電気加熱式のヘアドライヤーの動作制御を行うことができる。
【００３８】
他の実施形態において、マルチモードトリガは、無段階マルチモードトリガ、つまり、連続的な信号の量である。制御装置１０４は作動中の信号量を取得するためにサンプリングレートを有していても良い。
【００３９】
更なる実施形態において、制御装置１０４は予め決められたステップで熱と送風のレベルを制御する。すなわち、それぞれのステップは規定された熱／送風レベルに対応している。更なる別の実施形態において、制御装置１０４は、熱又は送風又はこれらの組みあわせに関し、事前に決められたレベルである複数の動作モードを有する。
【００４０】
更なる実施形態において、マルチモードトリガは、電気加熱式のヘアドライヤーのハンドル上に設けられる。また、マルチモードトリガは、送風シリンダーの上や、別個のリモートコントロール装置上といった、電気加熱式のヘアドライヤーの他の位置に設けられていても良い。
【００４１】
更なる他の実施形態において、マルチモードトリガは上述した各々の具体例におけるスイッチ機能を統合していてもよい。例えば、電源のオンオフを回転部を所定の方向に回すまたはそれに類似した方法で行うことがあげられる。
【００４２】
本発明の他の実施例によれば、電気加熱式のヘアドライヤーは、ヒーターと、電動部と、マルチモードトリガと、ヒーターと、電動部及びマルチモードトリガに接続され、マルチモードトリガからの信号に応じてヒーターとマルチモードトリガを同時制御するために用いられる集積回路とを有し、電気加熱式のヘアドライヤーの作動温度及び送風がシンプルな動作で制御される。なぜなら、電気加熱式のヘアドライヤーのパワーは、ビルトインされたプログラムで制御され、調整されるからである。このように構成することにより消費エネルギーを節約し、ユーザの満足度を向上させることができる。加えて、ユーザの様々な操作ニーズに応じて多様なマルチモードトリガが提供されうる。
【００４３】
図９は、本発明の更なる実施形態に係る電気加熱式のヘアドライヤー９００である。電気加熱式のヘアドライヤー９００は、さらに動作情報を表示するための液晶ディスプレー９０５を有する。例えば、液晶ディスプレーは、現在の熱レベルと送風レベル、あるいは現在の動作モードを表示してもよい。
【００４４】
図１０は、本発明の他の実施形態に係る電気加熱式のヘアドライヤー９５０の断面図である。制御装置１０４のＩＣ部品がプリント基板（ＰＣＢ）上に実装される。また、ＰＣＢがさらに電圧変換器を有する場合には、電気加熱式のヘアドライヤー９５０が電圧の異なる多様な地域で使えるようにＩＣ部品を構成することもできる。さらに、ＰＣＢは、スイッチング電源を供給しうる。公知のヘアドライヤーに示唆されていないＰＣＢを採用することで、ヘアドライヤー９５０は、公知のヘアドライヤーよりも多くの機能や制御を実現することができる。例えば、ＰＣＢは、誤作動があった場合の自動電源オフ機能といった安全面の機能を含めることが可能である。
【００４５】
ＰＣＢは、ハンドルの空洞部分に実装される。ＰＣＢは、ハンドルの中に設置される。電気加熱式のヘアドライヤー９５０のヒーター部分から最も遠い位置だからである。
【００４６】
図１１は、本発明の更なる実施形態に係る電気加熱式のヘアドライヤー９８０の吹き出し口の断面図である。電気加熱式のヘアドライヤー９８０は、さらに、遠赤外線エミッタ９８５が、ヘアドライヤーの吹き出し口に実装される。遠赤外線エミッタ９８５は、血液の循環をよくするために使用される。
【００４７】
以上が、本発明の実施例の詳細である。なお、本発明は上記実施例に限定されるものではなく、本発明の趣旨に基づいて種々の変形・改良が可能であり、これらは本発明の範疇である。
【図１】
2010155061.tif 000003
【図２】
2010155061.tif 000004
【図３】
2010155061.tif 000005
【図４】
2010155061.tif 000006
【図５】
2010155061.tif 000007
【図６】
2010155061.tif 000008
【図７】
2010155061.tif 000009
【図８】
2010155061.tif 000010
【図９】
2010155061.tif 000011
【図１０】
2010155061.tif 000012
【図１１】
2010155061.tif 000013
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
ファンとヒーターを有するヘアドライヤーであって、
プログラム可能な集積回路（ＩＣ）が実装され、前記ファンと前記ヒーターが接続されたプリント基板と、
それぞれ単独で、又は任意の組み合わせで前記ファンと前記ヒーターの作動レベルを規定する複数のプリセットスイッチと、
前記プリント基板に接続され、複数のプリセットスイッチを制御するマルチモードスイッチと、を有し、
前記マルチモードスイッチは、前記ヘアドライヤーにおいて片手で操作できる位置に置かれ、ユーザは、ヘアドライヤーを握っている手のみで、前記マルチモードスイッチを介して前記複数のプリセットスイッチを制御し、ヘアドライヤーを操作することができるヘアドライヤー。
【請求項２】
前記マルチモードスイッチは、回転ダイヤルである，
請求項１記載のヘアドライヤー。
【請求項３】
前記マルチモードスイッチは，トグルスイッチである，
請求項１記載のヘアドライヤー。
【請求項４】
前記トグルスイッチは、上下方向に切り替え可能である，
請求項３記載のヘアドライヤー。
【請求項５】
前記トグルスイッチは、左右方向に切り替え可能である，
請求項３記載のヘアドライヤー。
【請求項６】
前記トグルスイッチは、少なくとも上下左右に切り替えることができる多方向性トグルスイッチであって，
請求項３記載のヘアドライヤー。
【請求項７】
前記マルチモードスイッチはプッシュボタンである，
請求項１記載のヘアドライヤー。
【請求項８】
前記プッシュボタンは、第一のボタンと第二のボタンを有するか、又は前記プッシュボタンは一つのボタンである，
請求項７記載のヘアドライヤー。
【請求項９】
前記マルチモードスイッチは回転ダイヤル、トグルスイッチ、プッシュボタン、のいずれか２以上の組合せである請求項１記載のヘアドライヤー。
【請求項１０】
前記マルチモードスイッチは、前記ヘアドライヤーのハンドルの上部に配置されている，
請求項１〜７のいずれか１項に記載のヘアドライヤー。
【請求項１１】
前記ヘアドライヤーは、さらに前記プリント基板に接続された遠赤外線エミッタを有し、前記遠赤外線エミッタの動作状態は前記プリセットスイッチのうちの一つで定められる，
請求項１記載のヘアドライヤー。
【請求項１２】
前記ヘアドライヤーは、さらに前記プリント基板に接続されたイオン発生器を有し、前記イオン発生器の動作状態は前記プリセットスイッチのうちの一つで定められる，
請求項１記載のヘアドライヤー。
【請求項１３】
前記プリント基板は、さらにスイッチング電源ユニットを有する，
請求項１記載のヘアドライヤー。
【請求項１４】
前記プリント基板は、自動切断回路を含む，
請求項１記載のヘアドライヤー。
【手続補正２】
【補正対象書類名】明細書
【補正対象項目名】０００９
【補正方法】変更
【補正の内容】
【０００９】
一つの実施態様においては、マルチモードスイッチは回転ダイヤルである。また、マルチモードスイッチはトグルスイッチで構成し得る。トグルスイッチは上下方向又は左右方向に切り替え可能でもよい。また、トグルスイッチは、少なくとも上下左右に切り替えることができる多方向性トグルスイッチでもよい。
【手続補正３】
【補正対象書類名】明細書
【補正対象項目名】００３０
【補正方法】変更
【補正の内容】
【００３０】
電気加熱式のヘアドライヤー２００では、主な動作を制御する制御装置１０４は、マルチモードトリガ１０２からの信号を読み、ヒーター及びファンを制御するための応答を提供するよう設定された、ＩＣ部品にあるビルトインプログラムを有している。例えば、ヒーター１０６により生じる熱がレベルＡ、ファン装置１０８から生じる送風がレベルＢに調整されるように、制御装置１０４が受信した信号によって、電気加熱式のヘアドライヤー２００の制御装置１０４は、ヒーター１０６及びファン装置１０８を制御する。
【手続補正４】
【補正対象書類名】明細書
【補正対象項目名】００３４
【補正方法】変更
【補正の内容】
【００３４】
図７は、本発明の更なる実施形態に係る電気加熱式のヘアドライヤー７００を示している。電気加熱式のヘアドライヤー７００は、上下方向のパッド７０２を有する。この上下方向のパッド７０２は、より操作がユーザーフレンドリーとなるようにソフトタッチのボタンまたはそれに類するものであってもよい。上下方向のパッドは上述したトグルスイッチやトグルロッドと似た動作が設定されていてもよい。
【外国語明細書】
2010155061000001.pdf